(57)【要約】      （修正有）【課題】少ない人数で簡単に建物を構築できる建築構造を実現する。【解決手段】鋼管１ａ〜１ｃを結束し、周囲の空間に充填材を充填して硬化させた鋼管束１を長手方向に接続してアーチを構成するとともにこのアーチを複数基並行に設置し、各アーチ間に波板材６を挟持させて屋根を形成する。【選択図】図５
2008291427.tif 000002
【特許請求の範囲】
【請求項１】
金属管（１ａ〜１ｃ）を結束し、周囲の空間に充填材（３）を充填して硬化させてなる管束（１）を長手方向に接続してアーチを構成するとともに、このアーチを複数基並行に設置し、各アーチ間に前記結束部分の所定個所に波板材（６）を挟持させて屋根を形成したことを特徴とする建築構造。
【請求項２】
金属管（１ａ〜１ｃ）を結束し、周囲の空間に充填材（３）を充填して硬化させてなる管束（１）を長手方向に接続してアーチを構成するとともに、このアーチの基部に同じく金属管（１ａ〜１ｃ）を結束し、周囲の空間に充填材（３）を充填して硬化させてなる管束（１）を長手方向に接続したものを添設してその頂部から張力部材（４）により前記アーチを吊り上げ、このアーチおよび吊り上げ構造を複数基並行に設置し、各アーチ間に前記結束部分の所定個所に波板材（６）を挟持させて屋根を形成したことを特徴とする建築構造。
【請求項３】
金属管（１ａ〜１ｃ）が、その内面に充填材を充填するか、または少なくとも内面に充填材を塗布したものである請求項１または２に記載の建築構造。
【請求項４】
管束（１）の長手方向の接続が、金属管（１ａ〜１ｃ）内部を挿通させた張力部材（４ａ）と管束（１）の外周にらせん状に巻き付けた張力部材（４ｂ）とを固定することで行う請求項１または２に記載の建築構造。
【請求項５】
金属管（１ａ〜１ｃ）の内部または周辺に鉄筋（５）を挿入して補強した請求項１ないし４のいずれかに記載の建築構造。
【請求項６】
前記アーチの基部に足場材（７）を支持させることを特徴とする建物工事の足場構造。
【発明の詳細な説明】
【技術分野】
【０００１】
本発明は、金属管を結束したものでアーチを構成し、これに屋根部材を固定してなる新規な建築構造に関する。
【背景技術】
【０００２】
住宅、倉庫、事務所等の１階ないし２階建ての建築物は、一般に地盤上に基礎を打設し、その上に柱や梁を組み立て、屋根を載せて構築される。屋根工事や２階部分などの高所作業においては周囲に足場を組み立てる必要がある。また、作業完了後は足場の解体も行わなければならない。
特許文献１には、内部にコンクリートを充填した鋼管をアーチ状にしたものを支持体とする構造物が記載されている。図６、図７でこれを簡単に説明する。図６はスパン方向の側面図、図７は桁方向の側面図で、場所打ちコンクリートの基礎杭91で基部を支持させて、内部にコンクリートを充填した鋼管アーチ92を複数列並列し、これらを柱93、梁94で縦横に連結し、上部にスラブ95などを載置して支持構造体Ｓを構成するのである。96は地震等の水平力に抵抗するためのブレースである。
【０００３】
この支持構造はアーチを完全半円形とすることによって両脚の軸力の水平分力がゼロとなり、水平反力をとるための地中梁が不要となることを利用して、両側に既存の建物が接近している道路や線路の上部に構造物を構築することを目的としており、40ｍ程度のスパンでも問題なく施工できるとしている。
【特許文献１】特開平４−２５０２６７号公報
【発明の開示】
【発明が解決しようとする課題】
【０００４】
本発明は、特許文献１記載の構造物と一見類似しているが大きさや目的が全く異なり、せいぜい１、２階程度の住宅、倉庫などを新築することや、それらの補修のための足場を組み立てることなどを１、２名の少人数で簡単に施工可能とした新規な建築構造を実現することを目的とする。以下本明細書において発明の対象としている建築物は、住宅、倉庫等の建物、あるいは建物の周囲に設ける足場組みなどであり、特に目的を限定はしない。
【課題を解決するための手段】
【０００５】
本発明は、金属管を結束し、周囲の空間に充填材を充填して硬化させてなる管束を長手方向に接続してアーチを構成するとともに、このアーチを複数基並行に設置し、各アーチ間に前記結束部分の所定個所に波板材を挟持させて屋根を形成したことを特徴とする建築構造、あるいは、金属管を結束し、周囲の空間に充填材を充填して硬化させてなる管束を長手方向に接続してアーチを構成するとともに、このアーチの基部に同じく金属管を結束し、周囲の空間に充填材を充填して硬化させてなる管束を長手方向に接続したものを添設してその頂部から張力部材により前記アーチを吊り上げ、このアーチおよび吊り上げ構造を複数基並行に設置し、各アーチ間に前記結束部分の所定個所に波板材を挟持させて屋根を形成したことを特徴とする建築構造である。
【０００６】
そして望ましくは金属管が、その内面に充填材を充填するか、または少なくとも内面に充填材を塗布したものであり、また管束の長手方向の接続が、金属管内部を挿通させた張力部材と管束の外周にらせん状に巻き付けた張力部材とを固定することで行う前記の建築構造であり、また金属管の内部または周辺に鉄筋を挿入して補強した前記の建築構造であり、また前記アーチの基部に足場材を支持させることを特徴とする建物工事の足場構造である。
【発明の効果】
【０００７】
本発明によれば、建物周囲の足場組みや建物そのものを少ない人数で簡単に構築することができ、建物工事が効率化されるという、すぐれた効果を奏する。
また、構成する金属管が細く、さらに表面や内部に充填材を充填、あるいは塗布してあることにより、従来の鋼管足場等と比較して作業時の騒音が軽減される効果もある。
【発明を実施するための最良の形態】
【０００８】
本発明の実施例を図面により説明する。
図１は、既設の住宅Ｈの周囲に、実施例の建築構造を構築した状況を示す正面図で、１は鋼管束、４はその内部に挿通されるワイヤ材、７は足場板である。
従来、建物の塗装工事や屋根工事を行う場合に、建物の周囲に足場を組み立てることが必要であったが、支柱として外径48.6あるいは60.5ｍｍの足場用鋼管を使用し、長さ方向には差し込み式の継手を用いて接続し、クランプ金物を介して必要に応じて水平方向にも鋼管を配置し、さらに足場部材を固定するという構成で、足場組み工事だけで本来の塗装や屋根工事をはるかに上回る工数を要していた。
【０００９】
本実施例では鋼管束１は例えば外径22ｍｍの鋼管１ａ、１ｂ、１ｃを3本束ね、充填材により固定したものである。図２に鋼管束１の断面を示す。２は保護管、３は充填材である。保護管２は充填材３の型枠として使用した後、取り外してもよい。鋼管１ａ〜１ｃが外径22ｍｍのとき、保護管２としては外径42.7〜48.6ｍｍのものが適当である。
ちなみに図１において、アーチ部分の高さが５ｍ、直立している鋼管束１の頂部の高さが10ｍ、鋼管束１の間隔（スパン）が10ｍである。
【００１０】
鋼管１ａ、１ｂ、１ｃは内面に充填材を充填するか、または少なくとも内面に充填材を塗布して防錆効果を付与したものとすることが望ましい。これらの充填ないし塗布作業は建て方に入る前に行っておくのがよい。なお足場組みなどの仮設物の場合は防錆処理は省略できる。
充填材としては接着性のよいものが望ましく、強度を期待する部分にはエポキシ樹脂など、そうでない部分は経済性を考慮して樹脂モルタル、ポリマーセメントなどがよい。
【００１１】
図２に示すように、鋼管１ａ〜１ｃの内部または周辺に鉄筋５などを挿入、あるいは配置して補強することもできる。鋼管が19ｍｍのとき、鉄筋としてはＤ１３などが適当である。
図３は鋼管束１の部分外観図で、４ａ、４ｂはワイヤ材（張力部材）である。ワイヤ材４ａは、内部の鋼管１ａ〜１ｃの少なくとも１本の内部に挿通され、ワイヤ材４ｂは鋼管束の外側にらせん状に巻き付けられる。鋼管束１の両端でこれらワイヤ材４ａ、４ｂを緊縛することにより、複数本の鋼管束１を接続することができる。
【００１２】
本発明の鋼管束１はこのように細い鋼管を束ねたものであるから、軽量で、かつかなり自由に屈曲させることができる。したがって図１において住宅の両側に立設した支柱はそれぞれ鋼管束１をさらに２本合わせてあり、その内１本は内側に曲げて相互に接続し、アーチ状とする。残りの各１本は直立させ、先端からのワイヤ材４でアーチの天井部分を吊るようにする。
【００１３】
図４は図１に示したようなアーチを奥行き方向に複数基設置してその間に波板材６を張り、屋根とした例を示す斜視図である。この建物は単独でも車庫などに利用できるが、住宅の上に屋根が配置されるように設置すれば、断熱等を目的とする上屋根として有効である。この図４のように、図１において直立させた方の支柱は、強度上必要なければ省略してもよい。
【００１４】
図５は、波板材６の鋼管束１への固定構造の一例を示す部分断面図である。鋼管１ａ〜１ｃを束ねる際に、充填材３による固定部分に波板材６を挿入すればよい。
鋼管束として細い鋼管３本を束ねた例を示したが、３本でなくともよい。また本数が増えるときは、強度上必要な鋼管の他は塩ビ管等を用いて軽量化を図ることもできる。鋼管に変えて他の金属管を使用することもできる。
【図面の簡単な説明】
【００１５】
【図１】本発明実施例の建築構造を示す正面図である。
【図２】実施例における鋼管束の断面を示す断面図である。
【図３】実施例における鋼管束の部分外観図である。
【図４】実施例の建物を示す斜視図である。
【図５】図４における波板材の固定構造を示す部分断面図である。
【図６】従来の技術を示す構造物のスパン方向の側面図である。
【図７】従来の技術を示す構造物の桁方向の側面図である。
【符号の説明】
【００１６】
１    鋼管束
１ａ〜１ｃ    鋼管
２    保護管
３    充填材
４    ワイヤ材（張力部材）
５    鉄筋
６    波板材
７    足場板
９１    基礎杭
９２    鋼管アーチ
９３    柱
９４    梁
９５    スラブ
９６    ブレース
Ｈ    住宅
Ｓ    支持構造体
【図１】
2008291427.tif 000003
【図２】
2008291427.tif 000004
【図３】
2008291427.tif 000005
【図４】
2008291427.tif 000006
【図５】
2008291427.tif 000007
【図６】
2008291427.tif 000008
【図７】
2008291427.tif 000009